(57)【要約】  空気調和機の室内機は、第一上下風向板を駆動する第一上下駆動モーターと、第二上下風向板を駆動する第二上下駆動モーターと、左右風向板を駆動する左右駆動モーターと、を備え、第一上下駆動モーター、第二上下駆動モーター、および、左右駆動モーターは、筐体の側面部に設けられ、筐体を正面視した状態において、第一上下駆動モーターおよび第二上下駆動モーターは、前後方向に並んで配置されており、左右駆動モーターは、第一上下駆動モーターと第二上下駆動モーターとの間に配置されており、少なくとも、第一上下駆動モーターの左右中央と第二上下駆動モーターの左右中央とを結ぶ直線上、または、第一上下駆動モーターの上下中央と第二上下駆動モーターの上下中央とを結ぶ直線上に配置されているものである。
2019030798.tif 000002
【特許請求の範囲】
【請求項１】
吸込口および吹出口を有する筐体と、
前記筐体の内部に設けられ、前記吸込口から室内空気を吸い込み、前記吹出口から調和空気を吹き出す送風ファンと、
前記筐体の内部に設けられ、冷媒と室内空気とで熱交換することで調和空気を作り出す熱交換器と、
前記吹出口に回動可能に設けられ、調和空気の上下方向の吹出方向を変更する第一上下風向板と、
前記吹出口かつ前記第一上下風向板の後側に回動可能に設けられ、調和空気の上下方向の吹出方向を変更する第二上下風向板と、
前記送風ファンの下流側から前記吹出口に至る風路に回動可能に設けられ、調和空気の左右方向の吹出方向を変更する左右風向板と、
前記第一上下風向板を駆動する第一上下駆動モーターと、
前記第二上下風向板を駆動する第二上下駆動モーターと、
前記左右風向板を駆動する左右駆動モーターと、を備え、
前記第一上下駆動モーター、前記第二上下駆動モーター、および、前記左右駆動モーターは、前記筐体の側面部に設けられ、
前記筐体を正面視した状態において、
前記第一上下駆動モーターおよび前記第二上下駆動モーターは、前後方向に並んで配置されており、
前記左右駆動モーターは、前記第一上下駆動モーターと前記第二上下駆動モーターとの間に配置されており、少なくとも、前記第一上下駆動モーターの左右中央と前記第二上下駆動モーターの左右中央とを結ぶ直線上、または、前記第一上下駆動モーターの上下中央と前記第二上下駆動モーターの上下中央とを結ぶ直線上に配置されている
空気調和機の室内機。
【請求項２】
前記筐体を正面視した状態において、
前記左右駆動モーターは、前記第一上下駆動モーターの左右中央かつ上下中央と前記第二上下駆動モーターの左右中央かつ上下中央とを結ぶ直線上に配置されている
請求項１に記載の空気調和機の室内機。
【請求項３】
前記筐体の側面部にモーターボックスを備え、
前記第一上下駆動モーター、前記第二上下駆動モーター、および、前記左右駆動モーターは、前記モーターボックスに収納されている
請求項１または２に記載の空気調和機の室内機。
【発明の詳細な説明】
【技術分野】
【０００１】
本発明は、空気調和機の室内機に関し、特に左右風向板を駆動するモーターの配置に関するものである。
【背景技術】
【０００２】
従来、調和空気の左右方向の吹出方向を変更する左右風向板と、調和空気の上下方向の吹出方向を変更する上下風向板と、上下風向板を駆動する上下駆動モーターと、左右風向板を駆動する左右駆動モーターと、を備えた空気調和機の室内機がある（例えば、特許文献１参照）。【０００３】
上下風向板は、前後方向に二つ並べて設けられており、左右風向板は、上下風向板が閉じた状態で、後側の上下風向板の上方に設けられている。また、左右風向板は、複数の羽根と、複数の羽根に接続され、それらを同時に左右方向に動作させる連絡棒と、連絡棒に接続され、左右駆動モーターにより駆動されるリンク棒と、で構成されている。
【先行技術文献】
【特許文献】
【０００４】
【特許文献１】特開２０１６−１６９８７６号公報
【発明の概要】
【発明が解決しようとする課題】
【０００５】
特許文献１に記載されているような従来の空気調和機の室内機では、左右駆動モーターが、連絡棒から離れた位置、かつ、連絡棒の直線上から大きくずれた位置に設けられているものがある。そのような場合には、リンク棒を、長くし、かつ、段差形状などの複雑な形状にする必要がある。しかしながら、リンク棒を、長くし、かつ、複雑な形状にすると、リンク棒への応力が増大し、左右風向板の角度制御の精度が低下してしまうという課題があった。【０００６】
本発明は、以上のような課題を解決するためになされたもので、左右風向板の角度制御の精度を改善した空気調和機の室内機を提供することを目的としている。
【課題を解決するための手段】
【０００７】
本発明に係る空気調和機の室内機は、吸込口および吹出口を有する筐体と、前記筐体の内部に設けられ、前記吸込口から室内空気を吸い込み、前記吹出口から調和空気を吹き出す送風ファンと、前記筐体の内部に設けられ、冷媒と室内空気とで熱交換することで調和空気を作り出す熱交換器と、前記吹出口に回動可能に設けられ、調和空気の上下方向の吹出方向を変更する第一上下風向板と、前記吹出口かつ前記第一上下風向板の後側に回動可能に設けられ、調和空気の上下方向の吹出方向を変更する第二上下風向板と、前記送風ファンの下流側から前記吹出口に至る風路に回動可能に設けられ、調和空気の左右方向の吹出方向を変更する左右風向板と、前記第一上下風向板を駆動する第一上下駆動モーターと、前記第二上下風向板を駆動する第二上下駆動モーターと、前記左右風向板を駆動する左右駆動モーターと、を備え、前記第一上下駆動モーター、前記第二上下駆動モーター、および、前記左右駆動モーターは、前記筐体の側面部に設けられ、前記筐体を正面視した状態において、前記第一上下駆動モーターおよび前記第二上下駆動モーターは、前後方向に並んで配置されており、前記左右駆動モーターは、前記第一上下駆動モーターと前記第二上下駆動モーターとの間に配置されており、少なくとも、前記第一上下駆動モーターの左右中央と前記第二上下駆動モーターの左右中央とを結ぶ直線上、または、前記第一上下駆動モーターの上下中央と前記第二上下駆動モーターの上下中央とを結ぶ直線上に配置されているものである。
【発明の効果】
【０００８】
本発明に係る空気調和機の室内機によれば、筐体を正面視した状態において、第一上下駆動モーターおよび第二上下駆動モーターは、前後方向に並んで配置されている。また、左右駆動モーターは、第一上下駆動モーターと第二上下駆動モーターとの間に配置されており、少なくとも、第一上下駆動モーターの左右中央と第二上下駆動モーターの左右中央とを結ぶ直線上、または、第一上下駆動モーターの上下中央と第二上下駆動モーターの上下中央とを結ぶ直線上に配置されている。このように左右駆動モーターが配置されているため、左右風向板の角度制御の精度を改善することができる。
【図面の簡単な説明】
【０００９】
【図１】本発明の実施の形態に係る空気調和機の室内機を正面側から見た外観斜視図である。
【図２】本発明の実施の形態に係る空気調和機の室内機を右側面側から見た縦断面模式図である。
【図３】本発明の実施の形態に係る空気調和機の室内機の各風向板を示す斜視図である。
【図４】図３からモーターボックスを除いた図である。
【図５】本発明の実施の形態に係る空気調和機の室内機のモーターボックスに各モーターが収納された状態を左側から見た斜視図である。
【図６】本発明の実施の形態に係る空気調和機の室内機のモーターボックスを左側から見た斜視図である。
【図７】本発明の実施の形態に係る空気調和機の室内機のモーターボックスに第一上下駆動モーターおよび第二上下駆動モーターが収納された状態を右側から見た斜視図である。
【図８】本発明の実施の形態に係る空気調和機の室内機のモーターボックスに各モーターが収納された状態を右側から見た斜視図である。
【図９】本発明の実施の形態に係る空気調和機の室内機の各風向板を示す平面視図である。
【図１０】本発明の実施の形態に係る空気調和機の室内機のモーターボックスに各モーターが収納された状態を左側から見た側面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態．
図１は、本発明の実施の形態に係る空気調和機の室内機１００を正面側から見た外観斜視図である。図２は、本発明の実施の形態に係る空気調和機の室内機１００を右側面側から見た縦断面模式図である。
【００１２】
以下、図１および図２に基づいて、空気調和機の室内機１００の構成について説明する。
なお、以下の説明において、理解を容易にするために方向を表す用語、例えば「上」、「下」、「右」、「左」、「前」、「後」など、を適宜用いるが、これは説明のためのものであって、これらの用語は本願発明を限定するものではない。また、本実施の形態では、空気調和機の室内機１００を正面視した状態において、「上」、「下」、「右」、「左」、「前」、「後」などを使用する。
【００１３】
本実施の形態に係る空気調和機の室内機１００は、冷媒を循環させる冷凍サイクルを利用することで室内などの空調対象域に調和空気を供給するものである。なお、本実施の形態では、室内機１００が空調対象域の壁面に取り付けられる壁掛け型である場合を例に示しているが、それに限定されない。
【００１４】
室内機１００は、図１に示すように、壁面に取り付けられる背面ケース１と、背面ケース１の前面に取り付けられた筐体２と、を有している。筐体２には、主に室内空気を内部に吸い込むための吸込口３と、調和空気を空調対象域に供給するための吹出口４とが形成されており、また、筐体２の前面には、開閉可能な前面意匠パネル５が取り付けられている。
【００１５】
室内機１００の内部には、図２に示すように、吸込口３から室内空気を吸い込み、吹出口４から調和空気を吹き出す送風ファン６が設けられている。また、吸込口３から吹出口４までの風路に、長手方向が左右方向となるように配設され、冷媒と室内空気との間で熱交換することで調和空気を作り出す熱交換器７が設けられている。また、送風ファン６の下流側から吹出口４に至る風路１０を形成する風路前壁８および風路後壁９が設けられている。そして、これらの構成要素により筐体２内に空気流路が連通されている。
【００１６】
さらに、室内機１００の内部には、回路基板などを収容する電気品組立体１１と、熱交換器７の下端部の下方に位置し、熱交換器７の結露水を回収するドレンパン１２と、が設けられている。
【００１７】
吸込口３は、筐体２の上部に開口形成されている。吹出口４は、筐体２の下部に開口形成されている。送風ファン６は、吹出口４の上流側で、かつ、熱交換器７の下流側に配置されており、例えばクロスフローファンなどで構成されている。熱交換器７は、縦断面において逆Ｖ字形状またはΛ形状に形成されており、吸込口３の下流側で、かつ、送風ファン６の上流側に配置されている。この熱交換器７には、例えばフィンチューブ型熱交換器などを用いるとよい。また、吸込口３には、図示省略のフィンガーガードおよびフィルターが設けられている。
【００１８】
なお、熱交換器７は、縦断面において厳密に逆Ｖ字形状またはΛ形状でなくてもよい。また、送風ファン６は、熱交換器７の下流側に配置されるものに限定されず、熱交換器７の上流側に配置される軸流ファンまたは斜流ファンなどで構成してもよい。
【００１９】
吹出口４には、上下方向（または鉛直方向）の吹出方向を変更する第一上下風向板２１および第二上下風向板２２が設けられている。また、送風ファン６の下流側から吹出口４に至る風路１０には、左右方向（または水平方向）の吹出方向を変更する左右風向板３０が設けられている。なお、第一上下風向板２１、第二上下風向板２２、および、左右風向板３０については後で詳述する。
【００２０】
次に、本実施の形態に係る空気調和機の室内機１００内における空気の流れについて簡単に説明する。
まず、室内空気は、送風ファン６によって筐体２の上部に形成されている吸込口３から室内機１００内に流れ込む。このとき、図示省略のフィルターによって空気に含まれている塵埃が除去される。この室内空気は、熱交換器７を通過する際に熱交換器７内を導通している冷媒によって加熱または冷却されて調和空気となる。そして、調和空気は、筐体２の下部に形成されている吹出口４から室内機１００の外部、つまり空調対象域に吹き出される。このとき、第一上下風向板２１、第二上下風向板２２、および、左右風向板３０によって、空調対象域に吹き出される調和空気の向きが変更されるようになっている。
【００２１】
次に、第一上下風向板２１、第二上下風向板２２、および、左右風向板３０について詳述する。
図３は、本発明の実施の形態に係る空気調和機の室内機１００の各風向板を示す斜視図である。図４は、図３からモーターボックス４０を除いた図である。図５は、本発明の実施の形態に係る空気調和機の室内機１００のモーターボックス４０に各モーターが収納された状態を左側から見た斜視図である。なお、図３および図４は、第一上下風向板２１および第二上下風向板２２が閉じた状態を示している。
【００２２】
また、上記の各風向板とは、第一上下風向板２１、第二上下風向板２２、および、左右風向板３０のことであり、上記の各モーターとは、後述する第一上下駆動モーター４１、第二上下駆動モーター４２、および、左右駆動モーター４３のことである。
【００２３】
図３および図４に示すように、第一上下風向板２１および第二上下風向板２２は、前後方向に並べて設けられており、左右風向板３０は、第一上下風向板２１および第二上下風向板２２が閉じた状態で、後側の第二上下風向板２２の上方に設けられている。
【００２４】
左右風向板３０は、風路前壁８に設けられた図示省略の回転支持部に回動可能に支持された複数の羽根３１と、複数の羽根３１に接続され、それらを同時に左右方向に動作させる連絡棒３２と、連絡棒３２に接続されたリンク棒３３と、で構成されている。
【００２５】
図３に示すように、筐体２の左側の側面部には、モーターボックス４０が設けられている。このモーターボックス４０には、図５に示すように、第一上下風向板２１を駆動する第一上下駆動モーター４１と、第二上下風向板２２を駆動する第二上下駆動モーター４２と、左右風向板３０を駆動する左右駆動モーター４３と、が収納されている。
【００２６】
図３および図４に示すように、第一上下駆動モーター４１の第一回転軸４１ａは、第一上下風向板２１の第一軸受部２１ａに接続されている。そして、第一上下風向板２１は、第一上下駆動モーター４１の第一回転軸４１ａが回転することで、第一軸受部２１ａを中心に上下方向に回動する。また、第二上下駆動モーター４２の第二回転軸４２ａは、第二上下風向板２２の第二軸受部２２ａに接続されている。そして、第二上下風向板２２は、第二上下駆動モーター４２の第二回転軸４２ａが回転することで、第二軸受部２２ａを中心に上下方向に回動する。
【００２７】
また、図３〜図５に示すように、左右駆動モーター４３の第三回転軸４３ａは、リンク棒３３に接続されている。そして、左右風向板３０は、左右駆動モーター４３の第三回転軸４３ａが回転することで、リンク棒３３および連絡棒３２が左右方向に動作し、複数の羽根３１が同時に回転支持部を中心に左右方向に回動する。
【００２８】
なお、本実施の形態では、モーターボックス４０が、筐体２の左側の側面部に設けられているが、それに限定されず、筐体２の右側の側面部に設けられていてもよい。
【００２９】
図６は、本発明の実施の形態に係る空気調和機の室内機１００のモーターボックス４０を左側から見た斜視図である。図７は、本発明の実施の形態に係る空気調和機の室内機１００のモーターボックス４０に第一上下駆動モーター４１および第二上下駆動モーター４２が収納された状態を右側から見た斜視図である。図８は、本発明の実施の形態に係る空気調和機の室内機１００のモーターボックス４０に各モーターが収納された状態を右側から見た斜視図である。
【００３０】
図６に示すように、モーターボックス４０には、第一開口部４０ａ、第二開口部４０ｂ、および、第三開口部４０ｃが形成されている。第一開口部４０ａは、図７に示すように、モーターボックス４０に第一上下駆動モーター４１を収納した際、その第一回転軸４１ａが右側に向かって突出する開口である。また、第二開口部４０ｂは、図７に示すように、モーターボックス４０に第二上下駆動モーター４２を収納した際、その第二回転軸４２ａが右側に向かって突出する開口である。
【００３１】
また、第三開口部４０ｃは、図８に示すように、モーターボックス４０に左右駆動モーター４３を収納した際、その第三回転軸４３ａに接続されたリンク棒３３が右側に向かって突出する開口である。
【００３２】
図９は、本発明の実施の形態に係る空気調和機の室内機１００の各風向板を示す平面視図である。図１０は、本発明の実施の形態に係る空気調和機の室内機１００のモーターボックス４０に各モーターが収納された状態を左側から見た側面図である。
図９および図１０に示すように、第一上下駆動モーター４１、第二上下駆動モーター４２、および、左右駆動モーター４３は、前後方向に並べて設けられている。そして、前側から後側に向かって第一上下駆動モーター４１、左右駆動モーター４３、第二上下駆動モーター４２、の順で配置されている。
【００３３】
また、左右駆動モーター４３は、図９に示すように、第一上下駆動モーター４１の左右中央と第二上下駆動モーター４２の左右中央とを結ぶ直線（図９の一点鎖線ｘ）上に配置されている。さらに、左右駆動モーター４３は、図１０に示すように、第一上下駆動モーター４１の上下中央と第二上下駆動モーター４２の上下中央とを結ぶ直線（図１０の一点鎖線ｙ）上に配置されている。つまり、左右駆動モーター４３は、第一上下駆動モーター４１の左右中央かつ上下中央と、第二上下駆動モーター４２の左右中央かつ上下中央とを結ぶ直線上に配置されている。
【００３４】
ここで、左右駆動モーター４３のどこか一部が、第一上下駆動モーター４１の左右中央かつ上下中央と、第二上下駆動モーター４２の左右中央かつ上下中央とを結ぶ直線上に配置されている場合は、上記の「左右駆動モーター４３は、第一上下駆動モーター４１の左右中央かつ上下中央と、第二上下駆動モーター４２の左右中央かつ上下中央とを結ぶ直線上に配置されている」に該当するものとする。
【００３５】
なお、本実施の形態では、左右駆動モーター４３は、第一上下駆動モーター４１の左右中央かつ上下中央と、第二上下駆動モーター４２の左右中央かつ上下中央とを結ぶ直線上に配置されているとしたが、それに限定されない。左右駆動モーター４３は、少なくとも、第一上下駆動モーター４１の左右中央と、第二上下駆動モーター４２の左右中央とを結ぶ直線上、または、第一上下駆動モーター４１の上下中央と、第二上下駆動モーター４２の上下中央とを結ぶ直線上に配置されていればよい。
【００３６】
このように、本実施の形態では、左右駆動モーター４３が、上下方向および左右方向において、第一上下駆動モーター４１および第二上下駆動モーター４２とほぼ同じ位置に配置されている。そのため、左右駆動モーター４３は、連絡棒３２から近い位置、かつ、連絡棒３２の直線上からあまりずれていない位置に配置されることになり、リンク棒３３を、短くすることができ、かつ、単純な形状にすることができる。その結果、リンク棒３３への応力を低減でき、左右風向板３０の角度制御の精度を改善することができるため、信頼性の高い空気調和機の室内機１００を提供することができる。
【００３７】
また、第一上下駆動モーター４１、第二上下駆動モーター４２、および、左右駆動モーター４３は、三つ全てがモーターボックス４０に収納されている。そのため、組み立て作業時に、モーターボックス４０を筐体２に取り付ければ、三つ全てのモーターをドレンパン１２に取り付けることができる。その結果、各モーターを個別にドレンパン１２に取り付ける必要がなく、組み立て作業時の工数を減らすことができ、組み立て作業性を向上させることができる。
【００３８】
以上、本実施の形態に係る空気調和機の室内機１００において、筐体２を正面視した状態において、第一上下駆動モーター４１および第二上下駆動モーター４２は、前後方向に並んで配置されている。また、左右駆動モーター４３は、第一上下駆動モーター４１と第二上下駆動モーター４２との間に配置されており、少なくとも、第一上下駆動モーター４１の左右中央と第二上下駆動モーター４２の左右中央とを結ぶ直線上、または、第一上下駆動モーター４１の上下中央と第二上下駆動モーター４２の上下中央とを結ぶ直線上に配置されている。
【００３９】
本実施の形態に係る空気調和機の室内機１００によれば、第一上下駆動モーター４１および第二上下駆動モーター４２は、前後方向に並んで配置されている。また、左右駆動モーター４３は、第一上下駆動モーター４１と第二上下駆動モーター４２との間に配置されており、少なくとも、第一上下駆動モーター４１の左右中央と第二上下駆動モーター４２の左右中央とを結ぶ直線上、または、第一上下駆動モーター４１の上下中央と第二上下駆動モーター４２の上下中央とを結ぶ直線上に配置されている。そのため、左右駆動モーター４３は、連絡棒３２から近い位置、かつ、連絡棒３２の直線上からあまりずれていない位置に配置されることになり、リンク棒３３を、短くすることができ、かつ、単純な形状にすることができる。その結果、リンク棒３３への応力を低減でき、左右風向板３０の角度制御の精度を改善することができる。
【００４０】
また、本実施の形態に係る空気調和機の室内機１００において、筐体２を正面視した状態において、左右駆動モーター４３は、第一上下駆動モーター４１の左右中央かつ上下中央と第二上下駆動モーター４２の左右中央かつ上下中央とを結ぶ直線上に配置されている。そのため、左右駆動モーター４３は、連絡棒３２からより一層近い位置、かつ、連絡棒３２の直線上からより一層ずれていない位置に配置されることになり、リンク棒３３を、より一層短くすることができ、かつ、より一層単純な形状にすることができる。その結果、リンク棒３３への応力をより一層低減でき、左右風向板３０の角度制御の精度をより一層改善することができる。
【００４１】
また、本実施の形態に係る空気調和機の室内機１００は、筐体２の側面部にモーターボックス４０を備え、第一上下駆動モーター４１、第二上下駆動モーター４２、および、左右駆動モーター４３は、モーターボックス４０に収納されている。
【００４２】
本実施の形態に係る空気調和機の室内機１００によれば、モーターボックス４０に、第一上下駆動モーター４１、第二上下駆動モーター４２、および、左右駆動モーター４３が収納されている。そのため、組み立て作業時に各モーターを個別にドレンパン１２に取り付ける必要がなく、組み立て作業時の工数を減らすことができ、組み立て作業性を向上させることができる。
【符号の説明】
【００４３】
１  背面ケース、２  筐体、３  吸込口、４  吹出口、５  前面意匠パネル、６  送風ファン、７  熱交換器、８  風路前壁、９  風路後壁、１０  （送風ファンの下流側から吹出口に至る）風路、１１  電気品組立体、１２  ドレンパン、２１  第一上下風向板、２１ａ  第一軸受部、２２  第二上下風向板、２２ａ  第二軸受部、３０  左右風向板、３１  羽根、３２  連絡棒、３３  リンク棒、４０  モーターボックス、４０ａ  第一開口部、４０ｂ  第二開口部、４０ｃ  第三開口部、４１  第一上下駆動モーター、４１ａ  第一回転軸、４２  第二上下駆動モーター、４２ａ  第二回転軸、４３  左右駆動モーター、４３ａ  第三回転軸、１００  室内機。
【図１】
2019030798.tif 000003
【図２】
2019030798.tif 000004
【図３】
2019030798.tif 000005
【図４】
2019030798.tif 000006
【図５】
2019030798.tif 000007
【図６】
2019030798.tif 000008
【図７】
2019030798.tif 000009
【図８】
2019030798.tif 000010
【図９】
2019030798.tif 000011
【図１０】
2019030798.tif 000012
【国際調査報告】
2019030798.tif 000013
2019030798.tif 000014